(57)【要約】      （修正有）【課題】良好に蓋の開閉動作をさせるボックススタンドの提供。【解決手段】箱本体部Ｂｏの上端開口部の周の一部を軸にし、揺動開閉する蓋Ｆを有する箱Ｂを主な対象として、設置するためのボックススタンドであって、基台１上に支柱２、2aを立設し、該支柱２、2aの中腹部に箱Ｂ載置用の棚部３を上下動自在に取付け、また支柱２、2aの上端に腕体４の基端を枢着して、該腕体４を支柱２上端での起立状態から前記棚部３の上方での伏臥状態まで揺動自在と成し、かかる腕体４は前記支柱２に枢着した基腕部７に先腕部８をスライド可能に取付けて、腕体４を伸縮自在と成し、前記先腕部８の先端に蓋Ｆの揺動先端部を保持固定可能な保持手段９を設けることによって、蓋Ｆの開閉動作に際して、腕体４を伸縮させ、箱本体部Ｂｏを不動状態に保持したまま、蓋Ｆ及び腕体４の揺動先端部が同一軌道を通過する様にする。【選択図】図１
0003129611.tif 000002
【実用新案登録請求の範囲】
【請求項１】
箱本体部の上端開口部の周の一部を軸にし、揺動開閉する蓋を有する箱を主な対象として、設置するためのボックススタンドであって、
基台上に支柱を立設し、該支柱の中腹部に箱載置用の棚部を上下動自在に取付け、また支柱の上端に腕体の基端を枢着して、該腕体を支柱上端での起立状態から前記棚部の上方での伏臥状態まで揺動自在と成し、かかる腕体は前記支柱に枢着した基腕部に先腕部をスライド可能に取付けて、腕体を伸縮自在と成し、前記先腕部の先端に蓋の揺動先端部を保持固定可能な保持手段を設けたことを特徴とするボックススタンド。
【請求項２】
腕体に箱とは別体の独立蓋を着脱自在に設けたことを特徴とする請求項１記載のボックススタンド。
【請求項３】
ペダルの足踏みにより、腕体を起立させ、足踏み解除により、腕体を伏臥させる操作手段を装備させたことを特徴とする請求項１又は２記載のボックススタンド。
【請求項４】
棚部に箱本体部の固定手段を設けたことを特徴とする請求項１、２又は３記載のボックススタンド。
【考案の詳細な説明】
【技術分野】
【０００１】
本考案は、ゴミ箱を保持させ安定させた状態にて設置可能にするボックススタンドに関する。
【背景技術】
【０００２】
従来より、ゴミ箱を保持させ安定させた状態にて設置可能にするボックススタンドが提案されており、例えば、下記特許文献１のもにあっては、箱と蓋とからなる保持対象物の箱を支持する支持部と、蓋を保持する保持部と、前記支持部及び保持部を支持する支柱部とを有するボックススタンドにおいて、前記支持部は、前記支柱部に上下にスライド移動可能に取り付けられ、前記支持部には、スライド部が箱の幅方向にスライド移動可能に設けられ、前記スライド部は、そのスライド移動に従って、箱の幅方向の側面に接離する端部を備え、前記保持部は、前記支柱部に回動可能に取り付けられ、前記保持部には、箱の端部を固定的に保持する固定部が設けられている。
このボックススタンドは、上記の構成とすることによって、箱設置部分の大きさを調節可能とし、多様な大きさの箱を設置できる様にしたものである。
又、上記の構成に加え、足により操作可能なペダル部材と、前記ペダル部材の回動に従って、前記保持部に保持された前記蓋が開閉するように、前記保持部と前記ペダル部材とを連結する連結手段を設けることで、手を使わず、足による操作により、蓋開閉を可能として、医療用廃棄物のゴミ箱でも、衛生的に使用できる様にしていた。
【０００３】
【特許文献１】登録実用新案公報第３１１９３４１号公報（請求項１、請求項５、図１〜図８）
【考案の開示】
【考案が解決しようとする課題】
【０００４】
ところが、上記従来のものでは、特許文献１の図７及び８に示される様に、箱本体部と別体の独立蓋を有する箱の場合は、箱本体部と蓋とが保持される位置を適切に設定することによって、良好に蓋開閉を行えるのだが、箱本体部と蓋とが繋がっており、箱本体部の上端開口部の周の一部（四角筒形の箱なら、一辺）を軸にし、揺動開閉する蓋を有する箱の場合は、蓋の閉止状態では、蓋保持部の前端（揺動先端）と、箱蓋前端（揺動先端）とが同位置に在るのに、保持部の揺動軸（揺動基端）と、箱蓋の揺動軸（揺動基端）の位置がずれており、保持部の揺動軸が箱蓋の揺動軸の後方に位置するため、保持部と蓋の両者を夫々個別に揺動させたのなら、両者の揺動先端が通る軌道は異なり、保持部の前端は、蓋を個別に揺動させた場合に蓋の先端が通る軌道よりも、大きな弧を描いて、より前方側を通ることから、保持部と蓋とを連動させると、保持部が上方に立ち上がると共に、蓋先端が保持部により前方に徐々に引かれて、箱本体部が前方に傾いてしまい、良好に蓋の開閉を行うことが出来なかった。
【課題を解決するための手段】
【０００５】
本考案は、上記課題に鑑み、箱本体部の上端開口部の周の一部を軸にし、揺動開閉する蓋を有する箱を主な対象として、設置するためのボックススタンドであって、基台上に支柱を立設し、該支柱の中腹部に箱載置用の棚部を上下動自在に取付け、また支柱の上端に腕体の基端を枢着して、該腕体を支柱上端での起立状態から前記棚部の上方での伏臥状態まで揺動自在と成し、かかる腕体は前記支柱に枢着した基腕部に先腕部をスライド可能に取付けて、腕体を伸縮自在と成し、前記先腕部の先端に蓋の揺動先端部を保持固定可能な保持手段を設ることによって、蓋の開閉動作に際して、腕体を伸縮させ、箱本体部を不動状態に保持したまま、蓋及び腕体の揺動先端部が同一軌道を通過する様にして、上記課題を解決する。
【考案の効果】
【０００６】
要するに、請求項１の本考案は、箱本体部の上端開口部の周の一部を軸にし、揺動開閉する蓋を有する箱に使用しても、蓋開閉動作の際、蓋が開くに従って腕体は徐々に縮みながら起立し、また閉じる場合は、徐々に伸びながら伏臥するため、腕体の揺動先端部が蓋の揺動先端部の軌道に常時追従して、箱本体部を引っ張ったり、押したりせず、箱本体部を不動状態に保持したまま、良好に蓋の開閉を行うことが出来る。
【０００７】
請求項２のものでは、腕体に箱とは別体の独立蓋を着脱自在に設けたので、箱本体部に繋がった蓋を有する箱の場合は、独立蓋を取り外し、また蓋を有しない箱の場合は、独立蓋を取り付けて使用し、どちらのタイプの箱にも対応させることが出来る。
【０００８】
請求項３のものでは、ペダルの足踏みにより、腕体を起立させ、足踏み解除により、腕体を伏臥させる操作手段を装備させたので、足踏操作により、手を使わず、蓋開閉を可能として、医療用廃棄物のゴミ箱でも、安全に使用させることが出来る。
【０００９】
請求項４のものでは、棚部に箱本体部の固定手段を設けたので、腕体伸縮時の基腕部と先腕部の間の摺動摩擦により、箱蓋に引っ張ったり、押したりする外力が加えられても、箱本体部が固定手段により、保持されているため、箱が傾くことなく、良好に蓋の開閉動作をさせることが出来る等その実用的効果甚だ大である。
【考案を実施するための最良の形態】
【００１０】
以下、本考案の一実施形態について図面に基づき説明する。
図１は本考案に係るボックススタンドの使用状態を示す側面図、図２は図１の要部拡大図、図３は同上ボックススタンドの正面図、そして図４は同上ボックススタンドの拡大平面図である。
【００１１】
本考案に係るボックススタンドは、箱本体部Ｂｏの上端開口部の周の一部を軸にし、揺動開閉する蓋Ｆを有する箱Ｂを主な対象としており、各図に示す様に、複数のパイプ1a、1b…を適宜に連結して基台１を形成し、該基台１上に支柱２、2aを立設し、該支柱２、2aの中腹部に箱Ｂを載置するための棚部３を上下動自在に取付け、支柱２、2aの上端には、腕体４の基端を枢着し、該腕体４を支柱２、2aの上端での起立状態から棚部３の上方での伏臥状態まで揺動自在と成している。
【００１２】
腕体４は、支柱２、2aに枢着した肩部５に２本の角パイプ６、6aを固設し、肩部５と角パイプ６、6aとにより基腕部７と成し、この角パイプ６、6aにＵ字形の竿体の非屈曲側端部を遊動可能に挿嵌して先腕部８と成し、この様に基腕部７に先腕部８をスライド可能に取付けることで、腕体４を伸縮自在と成し、先腕部８の先端には、蓋Ｆの揺動先端部を保持固定可能な保持手段９として、クリップを取付けている。
【００１３】
棚部３は、４本の角パイプ10、10ａ…を井桁状に組付け、該井桁の下側にて長さ方向を前後方向に指向させて設けた２本の角パイプ10、10ａの後端に筒状のホルダー部11、11ａを垂設し、該ホルダー部11、11ａを支柱２、2aに外嵌して、棚部３を上下動自在と成し、ホルダー部11の背面に螺入した螺子12の先端を支柱２、2aに押接させて、支柱２、2aに棚部３を固定させる様にしている。
【００１４】
又、角パイプ10、10ａの前端にあっては、その夫々に竿体13、13ａを挿嵌し、該竿体13、13ａの先端には、箱本体部Ｂｏの前端側下部を載置し、また箱本体部Ｂｏの前側に押接させる鉤状の押接板14が取付けられている。
そして、角パイプ10の前端側下部に螺子15を螺入し、その先端を竿体13に押接させて、竿体13を固定可能と成し、かかる押接板14と、角パイプ10、10ａの後端側上部に立設した掛止板16とにより、箱本体部Ｂｏの前後を挟み込んで、固定させる様にしている。
【００１５】
一方、井桁の上側にて左右方向に設けた２本の角パイプ10ｂ、10ｃにあっては、その一端（図３及び４では左端）に箱本体部Ｂｏの一側を掛止させるための掛止板17を取付け、また角パイプ10ｂ、10ｃの他端にあっては、夫々に竿体18、18ａを挿嵌し、該竿体18、18ａの先端には箱本体部Ｂｏの他側に押接させる押接板19が取付けられ、角パイプ10ｂの他端側下部に螺子20を螺入し、その先端を竿体18に押接させて、竿体18を固定可能と成し、掛止板17と押接板19とにより、箱本体部Ｂｏの左右を挟み込んで、棚部３に箱本体部Ｂｏを固定しており、この様に、本実施例のものでは、棚部３自体を箱本体部Ｂｏの固定手段21と成している。
【００１６】
尚、棚部３と腕体４とは、上記構成に限定されるものではなく、要するに、棚部３は箱Ｂを載置可能で支柱２、2aに上下動自在に取付けられ、箱本体部Ｂｏの固定手段を有していれば良く、また腕体４は、支柱２、2a上端での起立状態から棚部３の上方での伏臥状態まで揺動自在であり、且つ、伸縮自在であり、腕体４の先端部に蓋Ｆの揺動先端部の保持手段９を有していれば良い。
【００１７】
ところで、図中22はペダルであり、該ペダル22はシーソー部23の一端に取付けられ、該シーソー部23の他端には連結部材24の下端を枢着し、該連結部材24の上端を腕体４の基端である肩部５の下部に枢着して、操作手段25と成し、この操作手段25のペダル22の足踏みにより、腕体４を起立させ、足踏み解除により、腕体４を伏臥させる様にしている。
【００１８】
使用時には、図１及び２に示す様に、棚部３に箱Ｂを載置すると共に固定し、蓋Ｆの揺動先端部を腕体４の先端部に固定し、ペダル22を足踏み操作すれば、箱Ｂが棚部３に固定されていること、並びに、腕体４が伸縮自在であることから、腕体４は足踏みにより、縮みながら起立し、また足踏み解除により、伸びながら伏臥するため、腕体４の揺動先端部は、蓋Ｆの揺動先端部に追従して、同一軌道を通過する。
【００１９】
以上の通り、本考案のボックススタンドは、箱本体部Ｂｏに連結されて、揺動開閉する蓋Ｆを有する箱Ｂに好適に使用可能なものであるが、図５及び６に示す様に、腕体４の下部に箱Ｂとは別体の独立蓋26を着脱自在に設けることで、蓋Ｆを有しない箱Ｂにも同様に好適に使用可能である。
尚、図示例のものでは、独立蓋26の上面に門形の着脱治具27を設けて、該着脱治具27の上部を、基腕部７である２本の角パイプ６、6aに跨設の取付部28に螺子止めしているが、この構成も適宜であり、要するに、腕体４に独立蓋26を着脱自在に設けていれば良い。
【図面の簡単な説明】
【００２０】
【図１】本考案に係るボックススタンドの使用状態を示す側面図である。
【図２】図１の要部拡大図である。
【図３】同上ボックススタンドの正面図である。
【図４】同上ボックススタンドの拡大平面図である。
【図５】独立蓋を取付けたボックススタンドの使用状態を示す側面図である。
【図６】図５のボックススタンドの要部拡大部分断面図である。
【符号の説明】
【００２１】
Ｂｏ    箱本体部
Ｆ      蓋
Ｂ      箱
１      基台
２、2a  支柱
３      棚部
４      腕体
７      基腕部
８      先腕部
９      保持手段
21      固定手段
25      操作手段
26      独立蓋
【図１】
0003129611.tif 000003
【図２】
0003129611.tif 000004
【図３】
0003129611.tif 000005
【図４】
0003129611.tif 000006
【図５】
0003129611.tif 000007
【図６】
0003129611.tif 000008